(57)【要約】【課題】ケーブルがパネルの孔を経てパネルの表面に沿つて配されるようにケーブルを支持するケーブル案内装置を得る。【解決手段】ケーブル案内装置１００はパネル１１６の孔１１７に配設されかつ孔１１７から引き出されるケーブル１２１の曲率半径を、ケーブル１２１の規定の曲率半径よりも大きな値に制限する。ケーブル案内装置１００はケーブル１２１の規定の曲率半径よりも小さくない曲率半径Ｒおよび仮想の中心軸線ｘを有する案内面１０１と、方形の孔１１７の縁部にケーブル案内装置１００を案内面１０１が縁部と平行になるように取り付ける板ばねのクリツプ１１３とを具備する。【選択図】図１
2004525399.tif 000002
【特許請求の範囲】
【請求項１】
パネルの孔に配設されかつ前記孔から引き出される光フアイバケーブルの曲率半径を、ケーブルの規定の曲率半径よりも大きな値に制限するケーブル案内装置であつて、前記ケーブル案内装置は前記ケーブルの規定の曲率半径よりも小さくない曲率半径および仮想の中心軸線を有する案内面と、前記孔の直線状の縁部に前記ケーブル案内装置を、前記案内面が前記縁部と平行になるように取り付けるためのばねクリツプ手段とを具備することを特徴とする、ケーブル案内装置。
【請求項２】
前記ケーブル案内装置を前記パネルに、前記中心軸線が前記パネルに直交するように取り付けるための代替ばねクリツプ手段を具備する、請求項１に記載のケーブル案内装置。
【請求項３】
前記代替手段は前記クリツプであり、前記パネルの突片の縁部を前記パネルに把持することにより取り付けるようになつている、請求項２に記載のケーブル案内装置。
【請求項４】
前記代替手段は前記ケーブル案内装置を貫通する少くとも１つのスロツトであり、かつねじが前記ケーブル案内装置を経て前記パネルの内部へ突出し、前記ケーブル案内装置を前記パネルに結合するようになつている、請求項２に記載のケーブル案内装置。
【請求項５】
パネルの孔に配設されかつ前記孔から引き出される光フアイバケーブルの曲率半径を、ケーブルの規定の曲率半径よりも大きな値に制限するケーブル案内装置であつて、前記ケーブル案内装置は前記ケーブルの規定の曲率半径よりも小さくない曲率半径および仮想の中心軸線を有する案内面と、前記の縁部に隣接する前記パネルに前記ケーブル案内装置を取り付けるための手段とを具備し、前記中心軸線が前記パネルと平行な平面上にあり、前記案内面が前記パネルに垂直な線に前記パネルでほぼ接しかつ前記縁部から離れた前記孔を貫通しており、前記案内面は前記線と前記縁部の間の前記孔を、前記ケーブルが前記縁部に接触しないように貫通することを特徴とする、ケーブル案内装置。
【請求項６】
前記取り付けるための手段は前記縁部を把持するクリツプからなる、請求項５に記載のケーブル案内装置。
【請求項７】
前記パネルに前記ケーブル案内装置を取り付けるための代替手段は、前記中心軸線が前記パネルと直行する、請求項６に記載のケーブル案内装置。
【請求項８】
前記代替手段は前記クリツプであり、前記クリツプは前記パネルの突片の縁部を把持することにより、前記パネルに取り付けるようになつている、請求項７に記載のケーブル案内装置。
【請求項９】
前記代替手段は前記ケーブル案内装置を貫通する少くとも１つのねじ孔であり、ねじが前記ケーブル案内装置を貫通して前記パネルの内部へ突出し、前記ケーブル案内装置を前記パネルに結合する、請求項７に記載のケーブル案内装置。
【請求項１０】
前記パネルに取り付けて光フアイバケーブルの曲率半径を制限するケーブル案内装置であつて、前記ケーブル案内装置は前記パネルを貫通する孔に配設され、前記孔から引き出されたケーブルの曲率半径をケーブルの規定の曲率半径よりも大きな値に制限するか、またはケーブルを案内する前記パネルに配設され、前記パネルと平行に引き出されるケーブルは、前記ケーブル案内装置に巻かれたケーブルの前記曲率半径をケーブルの規定の曲率半径よりも大きな値に制限するものであり、ケーブルの規定の曲率半径よりも小さくない曲率半径と曲率の中心軸線とを有する前記案内面と、前記孔の縁部に隣接する前記パネルに前記ケーブル案内装置を、前記案内面が前記パネルと直交する線に前記パネルで接しかつ前記孔を貫通し、前記中心軸線が前記パネルと平行な平面上にあるように取り付ける１次手段と、前記ケーブル案内装置を前記パネルに、前記中心軸線が前記パネルと直交するように取り付ける代替の２次手段とを具備することを特徴とする、ケーブル案内装置。
【請求項１１】
前記１次手段が前記孔の縁部に把持するためのクリツプからなる、請求項１０に記載のケーブル案内装置。
【請求項１２】
前記２次手段が前記クリツプからなり、前記クリツプが前記パネルの突出部の縁部を把持することにより前記パネルに取り付けられるようになつており、前記突出部は前記パネルから該パネルと垂直に突出する、請求項１１に記載のケーブル案内装置。
【請求項１３】
前記代替の２次手段は前記ケーブル案内装置を貫通する少くとも１つのねじ用スロツトからなり、ねじが前記ケーブル案内装置を貫通し前記パネルの内部へ突出して前記ケーブル案内装置を前記パネルに結合する、請求項１２に記載のケーブル案内装置。
【請求項１４】
前記パネルに取り付けて光フアイバケーブルの曲率半径を制限するケーブル案内装置であつて、前記ケーブル案内装置は前記パネルを貫通する孔に配設され、前記孔から引き出されたケーブルの曲率半径をケーブルの規定の曲率半径よりも大きな値に制限するか、またはケーブルを案内する前記パネルに配設され、前記パネルと平行に引き出されるケーブルは、前記ケーブル案内装置に巻かれたケーブルの前記曲率半径をケーブルの規定の曲率半径よりも大きな値に制限するものであり、ケーブルの規定の曲率半径よりも小さくない曲率半径と曲率の中心軸線とを有する前記案内面と、前記孔の縁部に隣接する前記パネルに前記ケーブル案内装置を、前記案内面が前記パネルと直交する線に前記パネルで接しかつ前記孔を貫通し、前記中心軸線が前記パネルと平行な平面上にあり、クリツプが前記孔の前記縁部で前記パネルを把持するように取り付ける１次手段と、前記ケーブル案内装置を前記パネルに、前記中心軸線が前記パネルと直交し、前記クリツプが前記パネルから前記パネルと垂直に突出する突出部の縁部を把持することにより前記パネルに取り付ける２次手段と、前記ケーブル案内装置を貫通する少くとも１つのねじ用の孔を有し、ねじが前記ケーブル案内装置を貫通して前記パネルの内部へ突出しかつ前記ケーブル案内装置を前記パネルに結合する代替の２次手段とを具備することを特徴とする、ケーブル案内装置。
【請求項１５】
前記ケーブル案内装置は前記案内面から内方へ突出しかつ前記孔に隣接する前記パネルの一面に係合する壁を備えており、前記案内面は前記壁と交差しかつ前記パネルに前記壁を係合させるクリツプを受け入れるスロツトを備えている、請求項１に記載のケーブル案内装置。
【請求項１６】
前記案内面は前記壁を越えて突出するリツプ部を備えており、前記縁部を覆うようになつている、請求項１５に記載のケーブル案内装置。
【請求項１７】
前記壁は前記案内面から径方向へ突出する、請求項１６に記載のケーブル案内装置。
【請求項１８】
前記ケーブル案内装置は前記パネルを、前記案内面が前記パネルと直交しかつ前記孔を貫通する線に前記パネルでほぼ接するように支持するようになつている、請求項１７に記載のケーブル案内装置。
【請求項１９】
前記ケーブル案内装置を前記パネルに、前記曲率半径の中心軸線が前記パネルと直交するように取り付けるための代替手段を備えている、請求項１８に記載のケーブル案内装置。
【請求項２０】
前記代替手段はクリツプであり、前記パネルから垂直に突出する突出部の縁部を把持することにより、前記パネルに取り付けようになつている、請求項１９に記載のケーブル案内装置。
【請求項２１】
前記代替手段は前記ケーブル案内装置を貫通する少くとも１つのねじ用の孔であり、ねじが前記ケーブル案内装置を貫通して前記パネルの内部へ突出し、前記ケーブル案内装置を前記パネルに結合する、請求項１９に記載のケーブル案内装置。
【発明の詳細な説明】
【技術分野】
本発明は光フアイバケーブルを保護し案内するケーブル案内装置に関するものである。詳しくは、本発明は光フアイバケーブル（以下、これを単にケーブルという）を例えば電気通信機器のパネルの孔を経て案内支持するか、パネルの表面に沿つてケーブルを引き出すか、ケーブルをパネル上に保存するような場合に、１つまたは複数のケーブルの曲げを安全な曲率半径に維持するための装置である。ケーブルは特に通信産業分野で利用されるものである。
【背景技術】
電気通信機器の内部で利用されかつ電気通信機器から引き出されるケーブルは、角部や縁部を鋭角に通過する場合や過剰なケーブルを巻いた状態に保存する場合に、曲げに対して保護されなければならない。上述のようにケーブルを鋭角に湾曲する時は、ケーブルに過大な荷重がかかつて物理的な損傷が生じ、またケーブルの湾曲部で光の内部特性が変化し、ケーブルに機能的損傷が生じる。特に、光がケーブルを移動する時のケーブル内部の光の反射特性の損失は、ケーブルが非常に鋭角に湾曲される時に現実のものとなる。したがつて、ケーブルを設置し保存する時に一時的にしろ、ケーブルが最小限の曲率半径以下にならないようにケーブルを維持し、またケーブルの使用中の曲率半径を規制する物理的な措置を講じることが肝要である。
ケーブルの鋭角な曲げを防止する一般的な方法は、十分な外径を有する円筒形のチユーブの外周側にケーブルを螺旋状に巻き付け、チユーブからケーブルを所望の通路に沿つて引き出することである。上述の方法はケーブルの曲げがチユーブの外径よりも鋭角にならないように維持できるが、ケーブルを螺旋状に巻き付けたチユーブを配設するのは無駄なことと言える。また、湾曲部でのみ十分な曲率半径を確保するだけで、ケーブルの通路全長にチューブを配設するのは高価なものになる。
湾曲部でのみケーブルを湾曲面に支持する装置も知られており、例えば米国特許第Ｄ２４７，８９７号明細書、米国特許第５，５３０，７８７号明細書、米国特許第５，７２４，４６７号明細書、米国特許第５，９１７，９８２号明細書、米国特許第５，９３７，１３１号明細書、米国特許第５，９４６，４４０号明細書、米国特許第５，９９５，６９９号明細書、米国特許第６，００２，０８９号明細書および米国特許第６，０４９，０４０号明細書に開示されている。かかる装置はトレーの所定の通路に沿つてパネルに取り付けることができるが、ケーブルを所定の通路に沿つて案内するか、余剰のケーブルを巻いて保存するように設計されているだけである。したがつて、パネルの孔を経てケーブルを案内するか、パネルの表面に沿つてケーブルを引き出すか、パネル上にケーブルを保存する場合に、１つまたは複数のケーブルを安全な曲率半径に維持する特異な装置が要望される。
パネルの孔を経てケーブルが引き出される場合に遭遇する付加的問題は、かかる孔の縁部がしばしば鋭くなる、つまりギザギザになることである。孔の縁部はケーブルに損傷ないし切断を引き起す。したがつて、ケーブルの孔の縁部との接触を防止する手段が要望される。
【発明が解決しようとする課題】
したがつて、本発明の目的は光フアイバケーブルを保護し支持し案内するための改良されたケーブル案内装置を提供することである。
本発明の他の目的はケーブルがパネルの孔を経てパネルの表面に沿つて配されるようにケーブルを支持するケーブル案内装置を提供することである。
本発明の他の目的はケーブル保存スプールを形成するのにも適応するケーブル案内装置を提供することである。
本発明の他の目的はパネルの鋭くなつている縁部からパネルの孔を経て引き出されるケーブルを保護するケーブル案内装置を提供することである。
本発明の他の目的はパネルと補助結合部のないパネル孔に取り付けられるケーブル案内装置を提供することである。
【課題を解決するための手段】
上記課題を解決するために、本発明の構成はパネルの孔に配設されかつ前記孔から引き出される光フアイバケーブルの曲率半径を、ケーブルの規定の曲率半径よりも大きな値に制限するケーブル案内装置であつて、前記ケーブル案内装置は前記ケーブルの規定の曲率半径よりも小さくない曲率半径および仮想の中心軸線を有する案内面と、前記孔の直線状の縁部に前記ケーブル案内装置を、前記案内面が前記縁部と平行になるように取り付けるためのばねクリツプ手段とを具備したことを特徴とする。
【発明を実施するための最良の形態】
本発明はケーブルの規定の最小曲率半径よりも大きい曲率半径の湾曲面、つまりケーブルを案内支持する案内面をパネルないし同効物に支持するための装置である。本装置はケーブルの曲げを安全な曲率半径に維持するために、ケーブルが電気通信機器の内部や機器相互間で緩く湾曲するように、ケーブルをパネルの上にまたはパネルを介して支持する。
パネルに取り付けるための手段に加えて、本発明はさらに孔の縁部を覆うための手段を備えている。これは特にケーブルを孔を経て案内する場合に、鋭い孔の縁部に対しケーブルを保護するのに有用である。
本装置は４つの装置を備えかつ長方形になつているパネルに取り付る場合に、余剰のケーブルを保存するための保存スプールを備えるようにもなつている。これはコイル状に保存された余剰のケーブルが、ケーブルの規定の最小曲率半径よりも鋭く湾曲しないことを保証する。
なお、本発明は結合部材を必要とせず、パネルの孔の縁部を把持するとともにパネルから突出する所定の壁部を把持するようになつている。この構成はパネルに簡単で迅速かつ確実に組み付けるのを許し、大抵の場合部品点数を減じる。
【実施例】
本発明の上述した目的や他の目的、構成及び効果は、添付図面とともに好適な実施例の詳細な説明から明らかになるであろう。
本発明の好適な実施例に係る光フアイバケーブル案内装置１００が図１〜７に示され、以下に説明される。ケーブル案内装置１００はポリカーボネートまたは同効果材料から一体に成形された単一の部品ないし構成品である。
四半円筒形に湾曲されたケーブル案内装置１００の案内面１０１は、曲率半径が２５．４ｍｍ（１インチ）のものである。この曲率半径はケーブルがあまり鋭角に湾曲されないような値のものとされる。図８〜１０に示すように、ケーブル１２１が３巻きに支持される場合、四半円筒形の案内面１０１は両端が端壁１０３で終つており、各端壁１０３は内方つまり部分円筒形の案内面１０１の仮想中心軸線の方へ延びる一方、案内面１０１を越えて径外方向へ延びる円弧状のフランジ１０４を備えており、フランジ１０４は案内面１０１にケーブル１２１を保持するように働く。案内面１０１を貫通する２つのスロツト１０５は、各端壁１０３に隣接しかつ案内面１０１の周方向へ延びており、ケーブル１２１の端部をスロツト１０５に挿通して、ケーブル１２１を案内面１０１に固定できるようになつている。
各端壁１０３はねじを通す切欠ないしスロツト１０７を備えている。前壁１０８は長手方向へ延び、案内面１０１と部分円筒形の案内面１０１の仮想中心軸線ｘとを接続する。部分円筒形の案内面１０１と両端の円弧状のフランジ１０４とは、前壁１０８を越えて長手方向へ延びる延び、案内面１０１を延長する保護リツプ１０９を形成する。
案内面１０１を貫通する角孔を形成するスロツト１１２は、部分円筒形の案内面１０１の長手方向中心に位置付けられ、前壁１０８と同一面をなすように成形される。スロツト１１２はクリツプ１１３を挿通するに十分な大きさのものである。好ましくは、鋼板からなるクリツプ１１３はスロツト１１２を貫通し、前壁１０８をその上縁１１４で把持する。
クリツプ１１３は導入片１１５を有するＵ字形の板ばねであり、クリツプ１１３が前壁１０８の上縁１１４へ係合する時、導入片１１５はクリツプ１１３を拡開させ、クリツプ１１３が前壁１０８を固く把持する。鋼製の板ばねからなるクリツプ１１３の１対の板片を弾性的に引き離し、クリツプ１１３が図５に示すパネル１１６の孔１１７の縁部または図６に示すパネル１２４のタブ１２５の縁部を挟持ないし把持するように働く。
ケーブル案内装置１００は数種のモデルで提供され、各モデルは支持するケーブルの数に応じて案内面１０１の長さが異なる点を除けば同じものである。
図５において、金属板からなるパネル１１６は角孔１１７を打ち抜かれている。角孔１１７の長さと高さつまり開口面積は、保護リツプ１０９とクリツプ１１３の挿通を許すに十分な大きさのものである。クリツプ１１３の板片を角孔１１７の最下縁部１１９へ係合すると、クリツプ１１３が縁部１１９へ押し広げられ、ケーブル案内装置１００が下方へ変位する。案内面１０１の下面ないし内面１１８が角孔１１７の最下縁部１１９に乗るまでケーブル案内装置１００はさらに低くなり、クリツプ１１３は縁部１１９を把持し、ケーブル案内装置１００をパネル１１６に固く把持する。図示のように、径方向の前壁１０８はパネル１１６に係合し、案内面１０１がパネル１１６に垂直な線Ｌに接すると、案内面１０１の中心軸線ｘ（図１）と曲率半径Ｒとがパネル１１６と平行な平面に横たわる。クリツプ１１３のばね特性は、クリツプ１１３がこの状態に拡開される時、塑性変形なしに把持作用を発揮するのに最適なものとされる。
図８に示すように、２５．４ｍｍ（１インチ）よりも小さい規定の最小曲率半径を有するケーブル１２１は、角孔１１７から引き出される。ケーブル１２１が角孔１１７を経て引き出される時、部分円筒形の案内面１０１の曲率半径が最小曲率半径よりも大きくケーブル１２１を案内し得るように規定されているので、ケーブル１２１を損傷しまたはその光特性を損傷するほど、ケーブル１２１は鋭角には曲らない。さらに、ケーブル案内装置１００の保護リツプ１０９は角孔１１７の鋭角な縁部１１９を越えて突出され、ケーブル１２１が縁部１１９のギザギザで損傷するのを防止する。
図６において、金属パネル１２４は長方形のタブ１２５を打ち抜きかつ一辺を折り曲げられて、パネル１２４の面と垂直な面を形成される。クリツプ１１３はタブ１２５の上縁１２７に係合し、タブ１２５を固く把持する。図９に示すように、ケーブル１２８は案内装置１００から引き出され、案内面１０１を経て案内装置１００に支持される。つまり、前述したのと同じ理由により、ケーブル１２８が損傷しまたはその光特性が損傷するほどケーブル１２８が鋭角に曲げられないことを保証する。
図７はタブを抜き出しかつ一辺を折り曲げることが実用的でない場合に、ケーブル案内装置１００をねじ１３０によりパネル１１６に案内支持する他のモデル（形式）を示す。
図１０においては、４つのケーブル案内装置１００が保存スプールとして配設され、各保存スプールは図７のようにねじ１３０でパネル１３２に結合される。余剰のケーブル１３１は保存スプールに巻き付けられ、適正な曲率半径を維持する。
図１１〜１５は本発明の第２実施例に係るケーブル案内装置２００を示す。本実施例は、図７の実施例のように、ケーブル案内装置をねじでパネルに支持し、パネル面に沿つてケーブルを引き出すように支持するものである。代りに、過剰のケーブル２３１を保存する保存スプールを、図１０に示す第１実施例と同様に複数の案内装置２００を組み合せて構成することができる。
当業者ならば、本発明は簡単で好適な数多くの実施例を開示しており、したがつて、本発明の範囲は次の請求の範囲により限定されるべきものであることが理解されるであろう。
【発明の効果】
本発明によれば、パネルに案内装置を組み付けるだけで、ケーブルが電気通信機器の内部や機器相互間で緩く湾曲するように案内面に支持される。
パネルの孔の縁部を覆うための手段を備えているので、特にケーブルを孔を経て案内する場合に、鋭い孔の縁部に対しケーブルが保護される。
案内装置がパネルからの長方形の壁部ないしタブに支持されるので、コイル状に保存された余剰のケーブルが、ケーブルの規定の最小曲率半径よりも鋭く湾曲することがない。
パネルから突出する壁部ないしタブに案内装置の壁部ないし前面が重ね合されかつクリツプにより係止されるので、パネルへの取付けが簡単で迅速かつ確実であり、部品点数が減じられる。
【図面の簡単な説明】
【図１】本発明の第１実施例に係るケーブル案内装置の斜視図である。
【図２】同ケーブル案内装置の側面図である。
【図３】同ケーブル案内装置の平面図である。
【図４】同ケーブル案内装置の底面図である。
【図５】クリツプによりパネルの孔に取り付けられた同ケーブル案内装置の側面断面図である。
【図６】パネルから突出するタブにクリツプにより取り付けられた同ケーブル案内装置の斜視図である。
【図７】ねじによりパネルに取り付けられた同ケーブル案内装置を示す斜視図である。
【図８】パネルの孔に支持されかつ複数のケーブルが孔を貫通する同ケーブル案内装置の斜視図である。
【図９】パネルのタブに支持されかつ複数のケーブルが孔を貫通する同ケーブル案内装置の斜視図である。
【図１０】４組の同ケーブル案内装置が保存スプールを形成しかつケーブルをコイル状に支持する斜視図である。
【図１１】本発明の第２実施例に係るケーブル案内装置の斜視図である。
【図１２】同ケーブル案内装置の側面図である。
【図１３】同ケーブル案内装置の平面図である。
【図１４】同ケーブル案内装置の正面図である。
【図１５】１対の同ケーブル案内装置が保存スプールを形成しかつケーブルをコイル状に支持する斜視図である。
【符号の説明】
Ｒ：曲率半径  ｘ：中心軸線  １００：ケーブル案内装置  １０１：案内面  １０３：端壁  １０４：フランジ  １０５：スロツト  １０７：ねじ用スロツト  １０８：前壁  １０９：保護リツプ  １１２：スロツト  １１３：クリツプ  １１４：上縁部  １１５：導入片  １１６：金属パネル  １１７：角孔  １１８：内面  １１９：最下縁部  １２１：ケーブル  １２４：金属パネル  １２５：タブ  １２７：上縁部  １２８：ケーブル  １３０：ねじ  １３１：ケーブル  １３２：金属パネル  ２００：ケーブル案内装置  ２３１：ケーブル
2004525399.tif 000003
2004525399.tif 000004
2004525399.tif 000005
2004525399.tif 000006
2004525399.tif 000007
2004525399.tif 000008
2004525399.tif 000009
2004525399.tif 000010
2004525399.tif 000011
2004525399.tif 000012
2004525399.tif 000013
2004525399.tif 000014
2004525399.tif 000015
2004525399.tif 000016
2004525399.tif 000017
【国際公開パンフレット】
2004525399.tif 000018
2004525399.tif 000019
2004525399.tif 000020
2004525399.tif 000021
2004525399.tif 000022
2004525399.tif 000023
2004525399.tif 000024
2004525399.tif 000025
2004525399.tif 000026
2004525399.tif 000027
2004525399.tif 000028
2004525399.tif 000029
2004525399.tif 000030
2004525399.tif 000031
2004525399.tif 000032
2004525399.tif 000033
2004525399.tif 000034
2004525399.tif 000035
2004525399.tif 000036
2004525399.tif 000037
2004525399.tif 000038
2004525399.tif 000039
2004525399.tif 000040
2004525399.tif 000041
2004525399.tif 000042
2004525399.tif 000043
2004525399.tif 000044
2004525399.tif 000045
2004525399.tif 000046
2004525399.tif 000047
2004525399.tif 000048
【国際調査報告】
2004525399.tif 000049
2004525399.tif 000050